(57)【特許請求の範囲】
【請求項１】
ネットワーク側装置に接続され、且つ、無線端末と無線接続する無線基地局であって、
前記無線端末のハンドオーバを制御する制御部を有し、
前記制御部は、
前記無線基地局と前記無線端末との間の無線状態を示す値を閾値と比較して、前記無線状態を示す値が前記閾値よりも小さい場合に前記ハンドオーバの制御を行う場合において、
前記無線端末のハンドオーバ先の候補である第１の候補基地局から前記ハンドオーバが拒否された場合、前記無線端末と前記ネットワーク側装置との間に確立された論理通信路において許容される遅延の大きさを示す許容遅延情報に応じて、前記第１の候補基地局と異なる前記無線端末のハンドオーバ先の候補である第２の候補基地局に前記ハンドオーバを行うか否かを決定し、
前記閾値は、
前記無線端末が受ける通信サービスにＶＯＩＰの通信サービスが含まれる場合、基準値よりも低い所定値に設定され、
前記無線端末が受ける通信サービスに前記ＶＯＩＰの通信サービスが含まれない場合、前記許容遅延情報に応じて前記基準値よりも小さい値で且つ前記所定値よりも大きい値に設定される無線基地局。
【請求項２】
前記制御部は、前記許容遅延情報によって示される許容される遅延の大きさが小さいほど、前記第２の候補基地局に前記ハンドオーバの要求を行いにくくなるように制御を行う請求項１に記載の無線基地局。
【請求項３】
前記制御部は、前記論理通信路に音声データが伝送される場合に、前記第２の候補基地局に前記ハンドオーバを行わないことを決定する請求項１に記載の無線基地局。
【請求項４】
ネットワーク側装置に接続され、且つ、無線端末と無線接続する無線基地局における通信制御方法であって、
前記無線端末と前記ネットワーク側装置との間に確立された論理通信路において許容される遅延の大きさを示す許容遅延情報を取得するステップと、
前記無線基地局と前記無線端末との間の無線状態を示す値を閾値と比較して、前記無線状態を示す値が前記閾値よりも小さい場合に前記ハンドオーバの制御を行う場合において、前記無線端末のハンドオーバ先の候補である第１の候補基地局から前記ハンドオーバが拒否された場合、取得された前記許容遅延情報に応じて、前記第１の候補基地局と異なる前記無線端末のハンドオーバ先の候補である第２の候補基地局に前記ハンドオーバを行うか否かを決定するステップと、を含み、
前記閾値は、
前記無線通信の通信サービスにＶＯＩＰの通信サービスが含まれる場合、基準値よりも所定の割合低下した所定値に設定され、
前記無線通信の通信サービスに前記ＶＯＩＰの通信サービスが含まれない場合、前記許容遅延情報に応じて前記基準値よりも小さい値で且つ前記所定値よりも大きい値に設定される通信制御方法。
【発明の詳細な説明】
【技術分野】
【０００１】
本発明は、無線端末との間で論理通信路が確立される無線基地局、及び、当該無線基地局における通信制御方法に関する。
【背景技術】
【０００２】
３ＧＰＰ（3rd Generation Partnership Project）におけるＬＴＥ（Long Term  Evolution）は、現在普及しているＷ−ＣＤＭＡやＣＤＭＡ２０００といった第３世代携帯電話（３Ｇ）の通信方式と将来登場する第４世代携帯電話（４Ｇ）の通信方式との間の技術であり、第３．９世代携帯電話（３．９Ｇ）の通信方式とも呼ばれる。
【０００３】
ＬＴＥを採用する無線通信システムでは、無線端末（ＵＥ）と無線基地局（ｅＮＢ）との間で、Ｒａｄｉｏ  Ｂｅａｒｅｒ（ラジオベアラ）と呼ばれる論理的な通信路が確立される。また、ＵＥとＭＭＥ（Mobility Managemant Entity）及びＳＧＷ（Serving Gateway）を含むＥＰＣ（Evolved Packet Core）との間で、ｅＮＢを介するＥＰＳ（Evoluved Packet System）Ｂｅａｒｅｒ（ＥＰＳベアラ）と呼ばれる論理的な通信路が確立される。ＵＥのハンドオーバが行われる場合、ハンドオーバ元のｅＮＢ（Ｓ−ｅＮＢ）は、ＵＥからのMeasurement Reportメッセージと称される無線情報を受信し、当該Measurement Reportメッセージに基づいて、ＵＥのハンドオーバを実行すべきか否かを決定する。ハンドオーバの実行が決定された場合、Ｓ−ｅＮＢは、ハンドオーバ先のｅＮＢ（Ｔ−ｅＮＢ）に対して、予めＵＥの受け入れを要求するためのHandover Requestメッセージを送信する。そして、Ｓ−ｅＮＢは、Ｔ−ｅＮＢからＵＥの受け入れ要求に応じることを示すHandover Request Ackメッセージを受信した場合に、ＵＥに対してハンドオーバ指示のメッセージを送信する（例えば、非特許文献１参照）。
【先行技術文献】
【非特許文献】
【０００４】
【非特許文献１】3GPP TS 36.300 V9.2.0，２００９年１２月
【発明の概要】
【発明が解決しようとする課題】
【０００５】
上述した無線通信システムにおいては、Ｓ−ｅＮＢは、ＵＥからのMeasurement Reportメッセージに基づいて、ＵＥのハンドオーバを実行すべきか否かを決定する。しかしながら、要求されるサービス品質であるＱｏＳ（Quality of Service）については考慮されていないため、必ずしも適切にハンドオーバが実行されるとは限らなかった。
【０００６】
上記問題点に鑑み、本発明は、ハンドオーバを適切に実行できる無線基地局及び通信制御方法を提供することを目的とする。
【課題を解決するための手段】
【０００７】
上述した課題を解決するために、本発明は以下のような特徴を有している。まず、本発明の第１の特徴は、ネットワーク側装置（ＥＰＣ３）に接続され、且つ、無線端末（ＵＥ２−１、ＵＥ２−２、ＵＥ２−３）と無線接続する無線基地局（ｅＮＢ１−１）であって、前記無線端末のハンドオーバを制御する制御部（制御部２０２）を有し、前記制御部は、前記無線基地局と前記無線端末との間の無線状態を示す値を閾値と比較して、前記無線状態を示す値が前記閾値よりも小さい場合に前記ハンドオーバの制御を行う場合において、前記無線端末のハンドオーバ先の候補である第１の候補基地局から前記ハンドオーバが拒否された場合、前記無線端末と前記ネットワーク側装置との間に確立された論理通信路（ＥＰＳベアラ）において許容される遅延の大きさを示す許容遅延情報（ＱＣＩ情報）に応じて、前記第１の候補基地局と異なる前記無線端末のハンドオーバ先の候補である第２の候補基地局に前記ハンドオーバを行うか否かを決定し、前記閾値は、前記無線端末が受ける通信サービスにＶＯＩＰの通信サービスが含まれる場合、基準値よりも低い所定値に設定され、前記無線端末が受ける通信サービスに前記ＶＯＩＰの通信サービスが含まれない場合、前記許容遅延情報に応じて前記基準値よりも小さい値で且つ前記所定値よりも大きい値に設定されることを要旨とする。
【０００８】
このような無線基地局は、無線端末とネットワーク側装置との間に確立される論理通信路において許容される遅延の大きさを示す許容遅延情報に応じて、閾値を調整する。閾値は、無線端末のハンドオーバの実行を決定する際に無線端末との間の無線状態を示す値と比較される。従って、ハンドオーバの実行の要否決定において、論理通信路において許容される遅延の大きさが考慮されることになり、ハンドオーバを適切に実行できる。
【０００９】
本発明の第２の特徴は、前記制御部は、前記許容遅延情報によって示される許容される遅延の大きさが小さいほど、前記第２の候補基地局に前記ハンドオーバの要求を行いにくくなるように制御を行うことを要旨とする。
【００１１】
本発明の第３の特徴は、前記制御部は、前記論理通信路に音声データが伝送される場合に、前記第２の候補基地局に前記ハンドオーバを行わないことを決定することを要旨とする。
【００１２】
本発明の第４の特徴は、ネットワーク側装置に接続され、且つ、無線端末と無線接続する無線基地局における通信制御方法であって、前記無線端末と前記ネットワーク側装置との間に確立された論理通信路において許容される遅延の大きさを示す許容遅延情報を取得するステップと、前記無線基地局と前記無線端末との間の無線状態を示す値を閾値と比較して、前記無線状態を示す値が前記閾値よりも小さい場合に前記ハンドオーバの制御を行う場合において、前記無線端末のハンドオーバ先の候補である第１の候補基地局から前記ハンドオーバが拒否された場合、取得された前記許容遅延情報に応じて、前記第１の候補基地局と異なる前記無線端末のハンドオーバ先の候補である第２の候補基地局に前記ハンドオーバを行うか否かを決定するステップと、を含み、前記閾値は、前記無線通信の通信サービスにＶＯＩＰの通信サービスが含まれる場合、基準値よりも所定の割合低下した所定値に設定され、前記無線通信の通信サービスに前記ＶＯＩＰの通信サービスが含まれない場合、前記許容遅延情報に応じて前記基準値よりも小さい値で且つ前記所定値よりも大きい値に設定されることを要旨とする。
【発明の効果】
【００１３】
本発明によれば、ハンドオーバを適切に実行できる。
【図面の簡単な説明】
【００１４】
【図１】本発明の実施形態に係る無線通信システムの全体概略構成図である。
【図２】本発明の実施形態に無線基地局の構成図である。
【図３】本発明の実施形態に係る無線基地局の第１の動作を示すシーケンス図である。
【図４】本発明の実施形態に係る無線基地局の第２の動作を示すシーケンス図である。
【図５】本発明の実施形態に係る無線基地局の第３の動作を示すシーケンス図である。
【図６】本発明の実施形態に係る無線基地局の第４の動作を示すシーケンス図である。
【発明を実施するための形態】
【００１５】
次に、図面を参照して、本発明の実施形態を説明する。具体的には、（１）無線通信システムの構成、（２）無線基地局の動作、（３）作用・効果、（４）その他の実施形態について説明する。以下の実施形態における図面の記載において、同一又は類似の部分には同一又は類似の符号を付している。
【００１６】
（１）無線通信システムの構成
まず、本発明の実施形態に係る無線通信システムの構成について、（１．１）無線通信システムの全体概略構成、（１．２）無線基地局の構成の順に説明する。
【００１７】
（１．１）無線通信システムの全体概略構成
図１は、本発明の実施形態に係る無線通信システム１００の全体概略構成図である。
【００１８】
図１に示す無線通信システム１００は、ＬＴＥの無線通信システムである。この無線通信システム１００は、無線基地局としてのＬＴＥ基地局（ｅＮＢ）１−１、ｅＮＢ１−２、ｅＮＢ１−３と、無線端末（ＵＥ）２−１、ＵＥ２−２、ＵＥ２−３（以下、ＵＥ２−１乃至ＵＥ２−３をまとめて、適宜「ＵＥ２」と称する）と、ネットワーク側装置としてのＥＰＣ（Evolved Packet Core）３とを含む。これらのうち、ＥＰＣ３は、ＭＭＥ（Mobility Management Entity）１０及びＳＧＷ（Serving Gateway）２０により構成される。
【００１９】
図１において、ＥＰＣ３とＵＥ２−１との間には、ｅＮＢ１−１を介する論理通信路であるＥＰＳ（Evoluved Packet System）Ｂｅａｒｅｒ（ＥＰＳベアラ）５−１が確立される。ＥＰＣ３とＵＥ２−２との間には、ｅＮＢ１−１を介する論理通信路であるＥＰＳベアラ５−２が確立され、ＥＰＣ３とＵＥ２−３との間には、ｅＮＢ１−１を介する論理通信路であるＥＰＳＥＰＳベアラ５−３が確立されている（以下、ＥＰＳベアラ５−１乃至ＥＰＳベアラ５−３をまとめて、適宜「ＥＰＳベアラ５」と称する）。
【００２０】
ＵＥ２は、上り方向の通信において、ＵＥ２が受ける通信サービス毎に、当該通信サービスに対応するデータであるＳＤＦ（Service Data Flow）をＥＰＳベアラ５に割り当てて、ＥＰＣ３に対する送信を行う。また、ＥＰＣ３は、下り方向の通信において、ＵＥ２が受ける通信サービス毎に、当該通信サービスに対応するＳＤＦを１つのＥＰＳベアラ５に割り当てて、ＵＥ２に対する送信を行う。
【００２１】
ここで、ＵＥ２が受ける通信サービスとは、音声サービスであるＶｏＩＰ（Voice over IP）、ファイル転送サービスであるＦＴＰ（File Transfer Protocol）、ウェブアクセスのサービスであるＨＴＴＰ（Hyper Text Transfer Protocol）、ストリーミング再生のサービス等が挙げられる。
【００２２】
また、ｅＮＢ１−１、ｅＮＢ１−２及びｅＮＢ１−３は、それぞれＭＭＥ１０との間で、Ｓ１インタフェースを介して制御データを送信及び受信し、ＳＧＷ２０との間で、Ｓ１インタフェースを介してユーザデータを送信及び受信する。また、ｅＮＢ１−１、ｅＮＢ１−２及びｅＮＢ１−３は、それぞれ他のｅＮＢとの間で、Ｘ２インタフェースを介して通信を行う。
【００２３】
（１．２）無線基地局の構成
図２は、ｅＮＢ１−１の構成図である。なお、ｅＮＢ１−２及びｅＮＢ１−３も同様の構成である。図２に示すｅＮＢ１−１は、制御部２０２、記憶部２０３、有線通信部２０４、無線通信部２０６及びアンテナ２０８を含む。
【００２４】
制御部２０２は、例えばＣＰＵ（Central Processing Unit）やＤＳＰ（Digital Signal Processor）によって構成され、ｅＮＢ１−１が具備する各種機能を制御する。記憶部２０３は、例えばメモリによって構成され、ｅＮＢ１−１における制御などに用いられる各種情報を記憶する。
【００２５】
有線通信部２０４は、ＭＭＥ１０やＳＧＷ２０との間で、データの送信及び受信を行う。無線通信部２０６は、ＲＦ回路、ベースバンド回路等を含み、変調及び復調、符号化及び復号等を行い、アンテナ２０８を介して、ＵＥ２との間で、無線信号の送信及び受信を行う。
【００２６】
制御部２０２は、ＱＣＩ取得部２５１、閾値調整部２５２、ハンドオーバ制御部２５４を含む。
【００２７】
ＱＣＩ取得部２５１は、自局であるｅＮＢ１−１の周辺のＵＥ２毎のＥＰＳベアラ５のぞれぞれにおいて許容される遅延の大きさを示す許容遅延情報としてのＱＣＩ（QoS Class Indicator）の情報を受信する。ＱＣＩ情報は、ｅＮＢ１−１に接続しているＵＥ２又はＭＭＥ１０から送信される。ＱＣＩ情報は、ＵＥ２が当該ＵＥ２とＥＰＣ３との間に確立されたＥＰＳベアラ５を使用して通信サービスを受ける場合に、当該通信サービスに対応するＱｏＳのクラスを示す識別子（ＱｏＳクラス識別子）、リソースの割り当て及び維持の優先順位を示す優先レベル、当該通信サービスにおいて許容される遅延時間（パケット遅延バジェット）等が含まれている。ここで、ＱＣＩ取得部２５１は、ＵＥ２が複数の通信サービスを受ける場合には、通信サービス毎に、対応するＣＱＩ情報を受信する。
【００２８】
ハンドオーバ制御部２５４は、各ＵＥ２によって周期的に送信されるメジャメントレポート（Measurement Report）のメッセージを受信する。Measurement Reportメッセージには、送信元のＵＥ２が周辺のｅＮＢからのリファレンス信号を受信した場合における、当該リファレンス信号の受信電力（ＲＳＲＰ：Reference Signal Received Power）と、周辺のｅＮＢの識別情報としてのセルＩＤとが対応付けられて含まれる。ハンドオーバ制御部２５４は、Measurement Reportメッセージに含まれるＲＳＲＰを取得する。取得されるＲＳＲＰは、無線状態を示す情報（無線状態情報）である。
【００２９】
次に、ハンドオーバ制御部２５４は、自局であるｅＮＢ１−１との間の無線状態が悪化しているＵＥ２、換言すれば、ハンドオーバの対象となるＵＥ２が存在するか否かを判定する。
【００３０】
具体的には、ハンドオーバ制御部２５４は、Measurement Reportメッセージに含まれるＲＳＲＰのうち、自局のセルＩＤに対応付けられているＲＳＲＰを選択する。ハンドオーバ制御部２５４は、選択したＲＳＲＰが予め定められたハンドオーバ閾値である第１基準値以下であるか否かを判定する。ここで、第１基準値は、記憶部２０３に記憶されている。選択したＲＳＲＰが第１基準値以下である場合には、ハンドオーバ制御部２５４は、選択したＲＳＲＰに対応するＵＥ２がハンドオーバの対象となるＵＥ２であると判定する。
【００３１】
ハンドオーバの対象となるＵＥ２（ハンドオーバ対象ＵＥ２）が存在する場合、閾値調整部２５２は、ハンドオーバ対象ＵＥ２に対応するＱＣＩ情報、換言すれば、ハンドオーバ対象ＵＥ２が受ける通信サービス毎のＱＣＩ情報を取得する。具体的には、閾値調整部２５２は、各ＵＥ２からのＱＣＩ情報のうち、ハンドオーバ対象ＵＥ２から送信されたＱＣＩ情報を選択する。例えば、閾値調整部２５２は、自局のセルＩＤに対応付けられ、且つ、第１基準値以下のＲＳＲＰを含んだMeasurement Reportメッセージの送信元のＩＤを取得する。取得されるＩＤは、ハンドオーバ対象ＵＥ２のＩＤである。更に、閾値調整部２５２は、各ＵＥ２からのＱＣＩ情報のうち、ハンドオーバ対象ＵＥ２のＩＤを送信元のＩＤとして含むＱＣＩ情報を選択する。選択されるＱＣＩ情報は、ハンドオーバ対象ＵＥ２から送信されたＱＣＩ情報である。
【００３２】
次に、閾値調整部２５２は、ハンドオーバ対象ＵＥ２が受ける通信サービスに、ＶｏＩＰの通信サービスが含まれているか否かを判定する。上述したように、ＱＣＩ情報には、ＵＥ２がＥＰＳベアラ５を使用して通信サービスを受ける場合に、当該通信サービスと１対１に対応するＱｏＳクラス識別子を含む。従って、閾値調整部２５２は、ＱｏＳクラス識別子に基づいて、ハンドオーバ対象ＵＥ２が受ける通信サービスに、ＶｏＩＰの通信サービスが含まれるか否かを判定できる。
【００３３】
次に、閾値調整部２５２は、以下の第１の処理又は第２の処理を行う。
【００３４】
［第１の処理］
ハンドオーバ対象ＵＥ２が受ける通信サービスにＶｏＩＰの通信サービスが含まれる場合、ハンドオーバ対象ＵＥ２に頻繁にハンドオーバが発生すると、通信中断時間が多くなるため、ＶｏＩＰにおいて許容される遅延を超える可能性が高くなる。
【００３５】
このため、閾値調整部２５２は、ハンドオーバ対象ＵＥ２におけるハンドオーバを抑制するための処理を行う。具体的には、閾値調整部２５２は、ハンドオーバ閾値を第１基準値よりも２０％低下させる。新たなハンドオーバ閾値は、記憶部２０３に記憶される。
【００３６】
一方、ハンドオーバ対象ＵＥ２が受ける通信サービスにＶｏＩＰの通信サービスが含まれない場合、閾値調整部２５２は、ハンドオーバ対象ＵＥ２に対応するＱＣＩ情報に含まれる、許容される遅延時間（許容遅延時間）の平均値を算出する。
【００３７】
次に、閾値調整部２５２は、算出した許容遅延時間の平均値が予め定められた第２基準値未満であるか否かを判定する。ここで、第２基準値は記憶部２０３に記憶されている。許容遅延時間の平均値が第２基準値未満である場合には、閾値調整部２５２は、ハンドオーバ閾値が第１基準値である場合よりは、ハンドオーバ対象ＵＥ２におけるハンドオーバを抑制するために、ハンドオーバ閾値を第１基準値よりも１０％低下させる。新たなハンドオーバ閾値は、記憶部２０３に記憶される。一方、許容遅延時間の平均値の平均値が第２基準値以上である場合には、閾値調整部２５２は、ハンドオーバ閾値を第１基準値のままとする。
【００３８】
［第２の処理］
ハンドオーバ対象ＵＥ２が受ける通信サービスにＶｏＩＰの通信サービスが含まれる場合場合、閾値調整部２５２は、ＶｏＩＰの通信サービスに対応するＱＣＩ情報に含まれる許容遅延時間に１より小さい係数αを乗算する。一方、ハンドオーバ対象ＵＥ２が受ける通信サービスにＶｏＩＰの通信サービスが含まれない場合、閾値調整部２５２は、許容遅延時間に対する係数αの乗算を行わない。
【００３９】
許容遅延時間に係数αの乗算を行った場合、又は、行わなかった場合の何れにおいても、次に、閾値調整部２５２は、ハンドオーバ対象ＵＥ２に対応するＱＣＩ情報に含まれる許容遅延時間の平均値を算出する。ここでは、ＶｏＩＰの通信サービスに対応するＱＣＩ情報に含まれる許容遅延時間については、係数αが乗算された後の値である。
【００４０】
次に、閾値調整部２５２は、算出した許容遅延時間の平均値が予め定められた第２基準値未満であるか否かを判定する。許容遅延時間の平均値が第２基準値未満である場合には、閾値調整部２５２は、ハンドオーバ閾値が第１基準値である場合よりは、ハンドオーバ対象ＵＥ２におけるハンドオーバを抑制するために、ハンドオーバ閾値を第１基準値よりも１０％低下させる。新たなハンドオーバ閾値は、記憶部２０３に記憶される。一方、許容遅延時間の平均値が第２基準値以上である場合には、閾値調整部２５２は、ハンドオーバ閾値を第１基準値のままとする。
【００４１】
閾値調整部２５２によってハンドオーバ閾値が調整された後、ハンドオーバ制御部２５４は、ハンドオーバ対象ＵＥ２と自局との間の無線状態がハンドオーバ閾値以下であるか否かを判定する。具体的には、ハンドオーバ制御部２５４は、ハンドオーバ対象ＵＥ２からのMeasurement Reportメッセージに含まれるＲＳＲＰのうち、自局のセルＩＤに対応付けられているＲＳＲＰを選択する。更に、ハンドオーバ制御部２５４は、選択したＲＳＲＰが予め定められたハンドオーバ閾値以下であるか否かを判定する。
【００４２】
選択したＲＳＲＰが予め定められたハンドオーバ閾値以下である場合、ハンドオーバ制御部２５４は、ハンドオーバ対象ＵＥ２の接続先を自局であるｅＮＢ１−１から他のｅＮＢ（ハンドオーバ先ｅＮＢ）に切り替えるためのハンドオーバ制御を行う。
【００４３】
具体的には、ハンドオーバ制御部２５４は、ハンドオーバ対象ＵＥ２からのMeasurement Reportメッセージに含まれるＲＳＲＰのうち、自局のセルＩＤ以外のセルＩＤに対応付けられているＲＳＲＰを選択する。更に、ハンドオーバ制御部２５４は、選択したＲＳＲＰのうち、ハンドオーバ閾値よりも所定値以上大きいＲＳＲＰに対応付けられているセルＩＤを選択する。選択されるセルＩＤは、ハンドオーバ先の候補となるｅＮＢ（ハンドオーバ先候補ｅＮＢ）のセルＩＤである。次に、ハンドオーバ制御部２５４は、ハンドオーバ先候補ｅＮＢのうち、対応するＲＳＲＰが最も大きいｅＮＢ（第１ハンドオーバ先候補ｅＮＢ）に対して、Handover Requestメッセージを送信する。
【００４４】
その後、第１ハンドオーバ先候補ｅＮＢからのハンドオーバを受け入れることを示すHandover Request Ackメッセージを受信した場合、ハンドオーバ制御部２５４は、第１ハンドオーバ先候補ｅＮＢをハンドオーバ先として決定し、ハンドオーバ対象ＵＥ２へHandover コマンドを送信する。
【００４５】
一方、ハンドオーバ制御部２５４は、第１ハンドオーバ先候補ｅＮＢからのハンドオーバを拒否することを示すHandover Request Nackメッセージを受信した場合、ハンドオーバ対象ＵＥ２が受ける通信サービスにＶｏＩＰの通信サービスが含まれるか否かを判定する。具体的には、ハンドオーバ制御部２５４は、ハンドオーバ対象ＵＥ２に対応するＱＣＩ情報に含まれるＱｏＳクラス識別子に基づいて、ハンドオーバ対象ＵＥ２が受ける通信サービスにＶｏＩＰの通信サービスが含まれるか否かを判定できる。
【００４６】
次に、ハンドオーバ制御部２５４は、以下の第３の処理又は第４の処理を行う。
【００４７】
［第３の処理］
ハンドオーバ対象ＵＥ２が受ける通信サービスにＶｏＩＰの通信サービスが含まれる場合、ハンドオーバ制御部２５４は、第２ハンドオーバ先候補ｅＮＢに対して、Handover Requestメッセージを送信しないことを決定する。ここで、第２ハンドオーバ先候補ｅＮＢとは、ハンドオーバ対象ＵＥ２からのMeasurement ReportメッセージにセルＩＤが含まれ、且つ、自局以外であるｅＮＢ（ハンドオーバ先候補ｅＮＢ）のうち、対応するＲＳＲＰが２番目に大きいｅＮＢ、あるいは、第１ハンドオーバ先候補ｅＮＢ以外の全てのｅＮＢを意味する。
【００４８】
一方、ハンドオーバ対象ＵＥ２が受ける通信サービスにＶｏＩＰの通信サービスが含まれない場合には、ハンドオーバ制御部２５４は、ハンドオーバ対象ＵＥ２に対応するＱＣＩ情報に含まれる許容遅延時間の平均値を算出する。
【００４９】
次に、ハンドオーバ制御部２５４は、算出した許容遅延時間の平均値が予め定められた第４基準値未満であるか否かを判定する。ここで、第４基準値は記憶部２０３に記憶されている。許容遅延時間の平均値が第４基準値未満である場合には、ハンドオーバ制御部２５４は、第２ハンドオーバ先候補ｅＮＢに対して、Handover Requestメッセージを送信しないことを決定する。
【００５０】
一方、許容遅延時間の平均値が予め定められた第４基準値以上である場合、ハンドオーバ制御部２５４は、第２ハンドオーバ先候補ｅＮＢに対して、Handover Requestメッセージを送信することを決定する。更に、ハンドオーバ制御部２５４は、第２ハンドオーバ先候補ｅＮＢに対して、Handover Requestメッセージを送信する。
【００５１】
［第４の処理］
ハンドオーバ対象ＵＥ２が受ける通信サービスにＶｏＩＰの通信サービスが含まれる場合、ハンドオーバ制御部２５４は、ＶｏＩＰの通信サービスに対応するＱＣＩ情報に含まれる許容遅延時間に１より小さい係数βを乗算する。一方、ハンドオーバ対象ＵＥ２が受ける通信サービスにＶｏＩＰの通信サービスが含まれない場合には、ハンドオーバ制御部２５４は、許容遅延時間に対する係数βの乗算を行わない。
【００５２】
許容遅延時間に係数βの乗算を行った場合、又は、行わなかった場合の何れにおいても、次に、ハンドオーバ制御部２５４は、ハンドオーバ対象ＵＥ２に対応するＱＣＩ情報に含まれる許容遅延時間の平均値を算出する。ここでは、ＶｏＩＰの通信サービスに対応するＱＣＩ情報に含まれる許容遅延時間については、係数βが乗算された後の値である。
【００５３】
次に、ハンドオーバ制御部２５４は、算出した許容遅延時間の平均値が予め定められた第４基準値未満であるか否かを判定する。許容遅延時間の平均値が第４基準値未満である場合には、ハンドオーバ制御部２５４は、第２ハンドオーバ先候補ｅＮＢに対して、Handover Requestメッセージを送信しないことを決定する。
【００５４】
一方、許容遅延時間の平均値が予め定められた第４基準値以上である場合、ハンドオーバ制御部２５４は、第２ハンドオーバ先候補ｅＮＢに対して、Handover Requestメッセージを送信することを決定する。更に、ハンドオーバ制御部２５４は、第２ハンドオーバ先候補ｅＮＢに対して、Handover Requestメッセージを送信する。
【００５５】
（２）無線基地局の動作
次に、ｅＮＢ１−１の動作を説明する。図３は、ｅＮＢ１−１の第１の動作を示すシーケンス図である。
【００５６】
ステップＳ１０１において、ｅＮＢ１−１は、周辺のＵＥ２から、当該ＵＥ２毎のＥＰＳベアラ５のＱＣＩ情報を受信する。
【００５７】
ステップＳ１０２において、ｅＮＢ１−１は、ＵＥ２からのMeasurement Reportメッセージを受信する。更に、ｅＮＢ１−１は、Measurement Reportメッセージに含まれるＲＳＲＰ（無線状態情報）を取得する。
【００５８】
ステップＳ１０３において、ｅＮＢ１−１は、取得した無線状態情報に基づいて、自局との間の無線状態が悪化しているＵＥ２（ハンドオーバ対象ＵＥ２）が存在するか否かを判定する。ハンドオーバ対象ＵＥ２が存在しない場合には、一連の動作が終了する。
【００５９】
一方、ハンドオーバ対象ＵＥ２が存在する場合、ステップＳ１０４において、ｅＮＢ１−１は、ハンドオーバ対象ＵＥ２に対応するＱＣＩ情報を取得する。
【００６０】
ステップＳ１０５において、ｅＮＢ１−１は、ハンドオーバ対象ＵＥ２が受ける通信サービスに、ＶｏＩＰの通信サービスが含まれるか否かを判定する。
【００６１】
ハンドオーバ対象ＵＥ２が受ける通信サービスに、ＶｏＩＰの通信サービスが含まれる場合、ステップＳ１０６において、ｅＮＢ１−１は、ハンドオーバ閾値を第１基準値よりも２０％低下させる。
【００６２】
一方、ハンドオーバ対象ＵＥ２が受ける通信サービスに、ＶｏＩＰの通信サービスが含まれない場合、ステップＳ１０７において、ｅＮＢ１−１は、ハンドオーバ対象ＵＥ２に対応するＱＣＩ情報に含まれる許容遅延時間の平均値を算出する。
【００６３】
ステップＳ１０８において、ｅＮＢ１−１は、算出した許容遅延時間の平均値が予め定められた第２基準値未満であるか否かを判定する。
【００６４】
許容遅延時間の平均値が第２基準値未満である場合には、ステップＳ１０９において、ｅＮＢ１−１は、ハンドオーバ閾値を第１基準値よりも１０％低下させる。
【００６５】
ステップＳ１０６の後、ステップＳ１０９の後、又は、ステップＳ１０８において否定判断された後、ステップＳ１１０において、ｅＮＢ１−１は、ハンドオーバ対象ＵＥ２と自局との間の無線状態がハンドオーバ閾値以下であるか否かを判定する。ハンドオーバ対象ＵＥ２と自局との間の無線状態がハンドオーバ閾値を超える場合には、一連の動作が終了する。一方、ハンドオーバ対象ＵＥ２と自局との間の無線状態がハンドオーバ閾値以下である場合には、ステップＳ１１１において、ｅＮＢ１−１は、ハンドオーバ制御を行う。
【００６６】
図４は、ｅＮＢ１−１の第２の動作を示すシーケンス図である。
【００６７】
ステップＳ１５１において、ｅＮＢ１−１は、ＭＭＥ１０から、周辺のＵＥ２毎のＥＰＳベアラ５のＱＣＩ情報を受信する。
【００６８】
ステップＳ１５２乃至ステップＳ１５５の動作は、図３のステップＳ１０２乃至ステップＳ１０５の動作と同様であるので、その説明は省略する。
【００６９】
ステップＳ１５５において、ハンドオーバ対象ＵＥ２が受ける通信サービスに、ＶｏＩＰの通信サービスが含まれると判定された場合、ステップＳ１５６において、ｅＮＢ１−１は、ＶｏＩＰの通信サービスに対応するＱＣＩ情報に含まれる許容遅延時間に１より小さい係数αを乗算する。
【００７０】
ステップＳ１５６の後、又は、ステップＳ１５５において否定判断された後、ステップＳ１５７において、ｅＮＢ１−１は、ハンドオーバ対象ＵＥ２に対応するＱＣＩ情報に含まれる許容遅延時間の平均値を算出する。
【００７１】
ステップＳ１５８において、ｅＮＢ１−１は、算出した許容遅延時間の平均値が予め定められた第２基準値未満であるか否かを判定する。許容遅延時間の平均値が第２基準値未満である場合には、ステップＳ１５９において、ｅＮＢ１−１は、ハンドオーバ閾値を第１基準値よりも１０％低下させる。
【００７２】
ステップＳ１５９の後、又は、ステップＳ１５８において否定判断された後、ステップＳ１６０において、ｅＮＢ１−１は、ハンドオーバ対象ＵＥ２と自局との間の無線状態がハンドオーバ閾値以下であるか否かを判定する。ハンドオーバ対象ＵＥ２と自局との間の無線状態がハンドオーバ閾値を超える場合には、一連の動作が終了する。一方、ハンドオーバ対象ＵＥ２と自局との間の無線状態がハンドオーバ閾値以下である場合には、ステップＳ１６１において、ｅＮＢ１−１は、ハンドオーバ制御を行う。
【００７３】
図５は、ｅＮＢ１−１の第３の動作を示すシーケンス図である。図５に示す動作は、図３のステップＳ１１１及び図４のステップＳ１６１の動作の一部として行われる。
【００７４】
ステップＳ２０１において、ｅＮＢ１−１は、第１ハンドオーバ先候補ｅＮＢに対して、Handover Requestメッセージを送信する。
【００７５】
ステップＳ２０２において、ｅＮＢ１−１は、第１ハンドオーバ先候補ｅＮＢからのHandover Request Ackメッセージを受信したか否かを判定する。Handover Request Ackメッセージを受信した場合には、一連の動作が終了する。そして、ｅＮＢ１−１は、第１ハンドオーバ先候補ｅＮＢをハンドオーバ先として決定し、ハンドオーバ対象ＵＥ２へHandover コマンドを送信する。
【００７６】
一方、Handover Request Ackメッセージを受信していない場合には、ｅＮＢ１−１は、第１ハンドオーバ先候補ｅＮＢからのHandover Request Nackメッセージを受信したか否かを判定する。Handover Request Nackメッセージを受信していない場合には、ステップＳ２０２以降の動作が繰り返される。
【００７７】
一方、Handover Request Nackメッセージを受信した場合、ステップＳ２０４において、ｅＮＢ１−１は、ハンドオーバ対象ＵＥ２が受ける通信サービスに、ＶｏＩＰの通信サービスが含まれるか否かを判定する。
【００７８】
ハンドオーバ対象ＵＥ２が受ける通信サービスに、ＶｏＩＰの通信サービスが含まれる場合、ステップＳ２０５において、ｅＮＢ１−１は、第２ハンドオーバ先候補ｅＮＢに対して、Handover Requestメッセージを送信しないことを決定する。
【００７９】
一方、ハンドオーバ対象ＵＥ２が受ける通信サービスに、ＶｏＩＰの通信サービスが含まれない場合には、ステップＳ２０６において、ｅＮＢ１−１は、ハンドオーバ対象ＵＥ２に対応するＱＣＩ情報に含まれる許容遅延時間の平均値を算出する。
【００８０】
ステップＳ２０７において、ｅＮＢ１−１は、算出した許容遅延時間の平均値が予め定められた第４基準値未満であるか否かを判定する。
【００８１】
許容遅延時間の平均値が第４基準値未満である場合には、ステップＳ２０５において、ｅＮＢ１−１は、第２ハンドオーバ先候補ｅＮＢに対して、Handover Requestメッセージを送信しないことを決定する。
【００８２】
一方、許容遅延時間の平均値が第４基準値以上である場合には、ステップＳ２０８において、ｅＮＢ１−１は、第２ハンドオーバ先候補ｅＮＢに対して、Handover Requestメッセージを送信することを決定する。ステップＳ２０９において、ｅＮＢ１−１は、第２ハンドオーバ先候補ｅＮＢに対して、Handover Requestメッセージを送信する。
【００８３】
図６は、ｅＮＢ１−１の第４の動作を示すシーケンス図である。図６に示す動作は、図３のステップＳ１１１及び図４のステップＳ１６１の動作の一部として行われる。
【００８４】
ステップＳ２５１乃至ステップＳ２５４の動作は、図５のステップＳ２０１乃至ステップＳ２０４の動作と同様であるので、その説明は省略する。
【００８５】
ステップＳ２５４において、ハンドオーバ対象ＵＥ２が受ける通信サービスに、ＶｏＩＰの通信サービスが含まれると判定された場合、ステップＳ２５５において、ｅＮＢ１−１は、ＶｏＩＰの通信サービスに対応するＱＣＩ情報に含まれる許容遅延時間に１より小さい係数βを乗算する。
【００８６】
ステップＳ２５５の後、又は、ステップＳ２５４において否定判断された後、ｅＮＢ１−１は、ハンドオーバ対象ＵＥ２に対応するＱＣＩ情報に含まれる許容遅延時間の平均値を算出する。
【００８７】
ステップＳ２５７において、ｅＮＢ１−１は、算出した許容遅延時間の平均値が予め定められた第４基準値未満であるか否かを判定する。許容遅延時間の平均値が第４基準値未満である場合には、ステップＳ２５８において、ｅＮＢ１−１は、第２ハンドオーバ先候補ｅＮＢに対して、Handover Requestメッセージを送信しないことを決定する。
【００８８】
一方、許容遅延時間の平均値が予め定められた第４基準値以上である場合には、ステップＳ２５９において、ｅＮＢ１−１は、第２ハンドオーバ先候補ｅＮＢに対して、Handover Requestメッセージを送信することを決定する。更に、ステップＳ２６０において、ｅＮＢ１−１は、第２ハンドオーバ先候補ｅＮＢに対して、Handover Requestメッセージを送信する。
【００８９】
（３）作用・効果
本発明の実施形態に係る無線通信システム１００において、ｅＮＢ１−１は、ＵＥ２とＰＣ３との間に確立され、ｅＮＢ１−１を介する論理通信路であるＥＰＳベアラ５において、通信サービス毎の許容される遅延の大きさを示すＱＣＩ情報内の許容遅延時間に応じて、ＵＥ２のハンドオーバを実行すべきか否かを判定する。ｅＮＢ１−１は、この判定においてＵＥ２との間の無線状態と比較されるハンドオーバ閾値を調整する。具体的には、ｅＮＢ１−１は、許容遅延時間が小さいほど、換言すれば、許容される遅延の大きさが小さいほど、ＵＥ２のハンドオーバを抑制するようにハンドオーバ閾値を調整する。従って、ハンドオーバの実行の要否決定において、ＵＥ２との間のＥＰＳベアラ５において許容される遅延が小さいほど、ハンドオーバが抑制される。
【００９０】
また、ｅＮＢ１−１は、第１ハンドオーバ先候補ｅＮＢからのハンドオーバを拒否することを示すHandover Request Nackメッセージを受信した場合、許容遅延時間に応じて、第２ハンドオーバ先候補ｅＮＢへHandover Requestメッセージを送信する必要があるか否かを判定し、送信する必要があれば、送信し、送信する必要がない場合には、送信しない。具体的には、ｅＮＢ１−１は、許容遅延時間が小さいほど、換言すれば、許容される遅延の大きさが小さいほど、第２ハンドオーバ先候補ｅＮＢへHandover Requestメッセージを送信しにくくなるように制御を行う。従って、ハンドオーバの実行の要否決定において、ＵＥ２との間のＥＰＳベアラ５において許容される遅延が小さいほど、ハンドオーバが抑制される。
【００９１】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９２】
上述した実施形態では、ＭｅＮＢ１−１は、ＱＣＩ情報に含まれる許容遅延時間に基づいて、ハンドオーバ閾値の調整や、第２ハンドオーバ先候補ｅＮＢに対するHandover Requestメッセージの送信要否の判定を行ったが、ＥＰＳベアラ５において許容される遅延の大きさを示す情報であれば、当該情報に基づいて、ハンドオーバ閾値の調整や、第２ハンドオーバ先候補ｅＮＢに対するHandover Requestメッセージの送信要否の判定を行うことができる。
【００９３】
上述した実施形態では、ＬＴＥシステムについて説明したが、ＷｉＭＡＸ（ＩＥＥＥ ８０２．１６）に基づく無線通信システム等、他の無線通信システムに対して本発明を適用してもよい。
【００９４】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００９５】
１−１、１−２、１−３…ｅＮＢ、２−１、２−２、２−３…ＵＥ、３…ＥＰＣ、５−１、５−２、５−３…ＥＰＳベアラ、１０…ＭＭＥ、２０…ＳＧＷ、１００…無線通信システム、２０２…制御部、２０３…記憶部、２０４…有線通信部、２０６…無線通信部、２０８…アンテナ、２５１…ＱＣＩ取得部、２５２…閾値調整部、２５４…ハンドオーバ制御部
【図１】
0005658923.tif 000002
【図２】
0005658923.tif 000003
【図３】
0005658923.tif 000004
【図４】
0005658923.tif 000005
【図５】
0005658923.tif 000006
【図６】
0005658923.tif 000007